(57)【要約】【課題】測光及び露出演算時間を短縮可能な撮像装置を提供する。【解決手段】本発明の撮像装置１は、入射する被写体光を複数の測光モードで測光するとともに、前記被写体光による静止画像を撮像可能な撮像部１２と、前記撮像部１２における、前記複数の測光モードのうちの一つの測光モードの測光結果を基に、前記撮像部１２における露出演算を行う露出演算部１１と、前記撮像部１２に入射した被写体光をスルー画表示する表示部１４と、を備え、前記静止画像の撮影前の撮影待機状態において前記表示部１４にスルー画表示を行う際に用いる第１測光モードと、前記静止画像の撮影時にける露出を決定する第２測光モードと、が一致しているか否かに応じて、前記露出演算部１１における、前記露出演算の時間又は回数を変更すること、を特徴とする。【選択図】図２
2014170039.tif 000002
【特許請求の範囲】
【請求項１】
入射する被写体光を複数の測光モードで測光するとともに、前記被写体光による静止画像を撮像可能な撮像部と、
前記撮像部における、前記複数の測光モードのうちの一つの測光モードの測光結果を基に、前記撮像部における露出演算を行う露出演算部と、
前記撮像部に入射した被写体光をスルー画表示する表示部と、を備え、
前記静止画像の撮影前の撮影待機状態において前記表示部にスルー画表示を行う際に用いる第１測光モードと、
前記静止画像の撮影時にける露出を決定する第２測光モードと、が一致しているか否かに応じて、
前記露出演算部における、前記露出演算の時間又は回数を変更すること、
を特徴とする撮像装置。
【請求項２】
請求項１に記載の撮像装置であって、
前記測光モードは、マルチパターン測光、中央重点測光及びスポット測光のいずれかであること、
を特徴とする撮像装置。
【請求項３】
請求項１または２に記載の撮像装置及び撮影装置であって、
前記第１測光モードと前記第２測光モードとが一致している場合は、一致していない場合よりも、前記露出演算部における、前記露出演算の時間又は回数を減少すること、を特徴とする撮像装置。
【発明の詳細な説明】
【技術分野】
【０００１】
本発明は、撮像装置に関するものである。
【背景技術】
【０００２】
カメラにおいて、撮影時の露出を決定するために、撮影前に測光が行われる。この測光には、撮像画面の全体を複数に分割して測光し、被写体の明るさや色などの情報から露出を決める「マルチパターン測光（AMP)」と、撮像画面の中央部を重点的に測光する「中央部重点測光（ＣＷ）」と、フォーカスポイント周辺のみを測光する「スポット測光（ＳＰ）」といった複数の測光モードがある。
【先行技術文献】
【特許文献】
【０００３】
【特許文献１】特開平１１−７０５３号公報
【発明の概要】
【発明が解決しようとする課題】
【０００４】
しかし、マルチパターン測光による露出でスルー画を表示している状態で、異なる測光モードで静止画撮影を行う場合、静止画撮影の測光モードに適した露出を演算しなおす必要があるため、測光及び露出演算に時間がかかる場合がある。
【０００５】
本発明の課題は、測光及び露出演算時間を短縮可能な撮像装置を提供することである。
【課題を解決するための手段】
【０００６】
本発明は、以下のような解決手段により前記課題を解決する。
【０００７】
請求項１に記載の発明は、入射する被写体光を複数の測光モードで測光するとともに、前記被写体光による静止画像を撮像可能な撮像部と、前記撮像部における、前記複数の測光モードのうちの一つの測光モードの測光結果を基に、前記撮像部における露出演算を行う露出演算部と、前記撮像部に入射した被写体光をスルー画表示する表示部と、を備え、前記静止画像の撮影前の撮影待機状態において前記表示部にスルー画表示を行う際に用いる第１測光モードと、前記静止画像の撮影時にける露出を決定する第２測光モードと、が一致しているか否かに応じて、前記露出演算部における、前記露出演算の時間又は回数を変更すること、を特徴とする撮像装置である。
請求項２に記載の発明は、請求項１に記載の撮像装置であって、前記測光モードは、マルチパターン測光、中央重点測光及びスポット測光のいずれかであること、を特徴とする撮像装置である。
請求項３に記載の発明は、請求項１または２に記載の撮像装置及び撮影装置であって、前記第１測光モードと前記第２測光モードとが一致している場合は、一致していない場合よりも、前記露出演算部における、前記露出演算の時間又は回数を減少すること、を特徴とする撮像装置である。
なお、上記構成は、適宜改良してもよく、また、少なくとも一部を他の構成物に代替してもよい。
【発明の効果】
【０００８】
本発明によれば、測光及び露出演算時間を短縮可能な撮像装置を提供することができる。
【図面の簡単な説明】
【０００９】
【図１】デジタルカメラの機能ブロック図である。
【図２】本実施形態の動作シーケンスを示した図である。
【図３】本実施形態のカメラの動作を示すフローチャートである。
【発明を実施するための形態】
【００１０】
本発明の第１実施形態について説明する。図１は、デジタルカメラ１の機能ブロック図である。
図１のように、カメラ１は、カメラ本体１０とレンズ鏡筒２０とを備える。本実施形態では、カメラ本体１０とレンズ鏡筒２０とが一体型のカメラについて説明するが、これに限定されない。たとえば、レンズ鏡筒２０がカメラ本体１０に対して着脱可能でもよい。また、いわゆるコンパクトカメラに限らず、ミラーレスタイプや一眼レフタイプのデジタルカメラであってもよい。
【００１１】
レンズ鏡筒２０は、レンズ光学系２１と、絞り２２と、レンズマイコン２３とを備える。
レンズ光学系２１は、フォーカスレンズやズームレンズを含むものである。
絞り２２は、撮像部１２に入射する光量を調節する。レンズマイコン２３は、図示しない距離エンコーダからの信号を処理して、距離情報を得る。この距離情報は、レンズマイコン２３から後述のカメラマイコン１１に通知される。また、レンズマイコン２３は、レンズ光学系２１の開放Ｆ値及び焦点距離等のレンズ情報を格納し、カメラマイコン１１にこれらのレンズ情報を出力する。
【００１２】
カメラ本体１０は、カメラマイコン１１と、撮像部１２と、表示部１４と、焦点検出部１６と、絞り制御部１７と、レンズ駆動部１８と、レリーズスイッチ１９とを備える。
【００１３】
カメラマイコン１１は、カメラ本体１０の全体の制御を行う。
撮像部１２は、レンズ光学系２１からの被写体光を受光面に結像し、その被写体像輝度に応じた信号を出力する。本実施形態の撮像部１２は、ローリングシャッタ方式で作動するＣＭＯＳ（Complimentary Metal Oxide Semiconductor）センサである。ローリングシャッタ方式は、ＣＭＯＳセンサを構成するライン毎に露光開始タイミングが異なり、ライン毎に順次シャッタを切る方式である。
また、撮像部１２は、受光面に入射する被写体光の輝度も測光可能である。この測光方式として、撮像画面の全体を複数に分割して測光し、被写体の明るさや色などの情報から露出を決める「マルチパターン測光（AMP)」と、撮像画面の中央部を重点的に測光する「中央部重点測光（ＣＷ）」と、フォーカスポイント周辺のみを測光する「スポット測光（ＳＰ）」といった複数の測光モードとがある。
【００１４】
表示部１４は、撮像部１２により撮像されている画像のスルー画表示、及び撮影後の静止画の表示等が可能である。
焦点検出部１６は、撮像部１２により撮像された撮影画像から、撮影画像の合焦状態を検出する。
絞り制御部１７は、カメラマイコン１１から指示された絞り値に、絞り２２を変更する。
レンズ駆動部１８は、焦点検出部１６により検出された合焦状態に対応して、また、撮影者により操作されたズームの状態に応じたカメラマイコン１１からの指示に基づいてレンズ光学系２１を駆動する。
レリーズスイッチ１９は、操作者のレリーズボタンの半押し及び全押し操作に対応した信号をカメラマイコンに出力する。
【００１５】
図２は、本実施形態の動作シーケンスを示した図であり、図３は本実施形態のカメラの動作を示すフローチャートである。
図３に示すように。本実施形態のカメラ１において図示しないメインスイッチがＯＮにされると、撮像部１２は、まず、スルー画用の画像を蓄積する（ステップＳＴ０１）。
そして、撮像部１２は、その蓄積画像をもとに、測光演算を行う（ステップＳＴ０２）。
【００１６】
上述のように、測光の方式として、マルチパターン測光（AMP)、と、中央部重点測光（ＣＷ）と、スポット測光（ＳＰ）との３つのモードがある。そして、レリーズスイッチ１９が半押しＳ１される前においては、表示部１５にスルー画を表示するために、スルー画表示に適するマルチパターン測光（第１測光モード）が行われる（ステップＳＴ０３）。
【００１７】
そして、カメラマイコン（露出制御部）１１は、マルチパターン測光の結果を基に、スルー画表示に適した露出（シャッタスピード及び絞り等）を演算する（ステップＳＴ０４）。
撮像部１２はスルー画用の適正なシャッタスピードに設定され、絞り２２も絞り制御部１７を介してスルー画用の適正な絞りに設定される。
スルー画に適した露出で撮影された画像は、表示部１４によりスルー画表示される（ステップＳＴ０４）。
【００１８】
レリーズスイッチ１９により撮影者が半押しＳ１を行うと、撮影時の測光モード（第２測光モード）が、スルー画表示のときの測光モード(第１測光モード)と一致しているかが判定される（ステップＳＴ０５）。
なお、撮影時の測光モードは、撮影者の選択により又はカメラ１における自動的な設定により定められる。
本実施形態においては、スルー画表示の測光モードはマルチパターン測光モードであるので、撮影時の測光モードとしてマルチパターン測光モードが選択されている場合、撮影時の測光モードとスルー画表示のときの測光モードとが一致していると判断される。
【００１９】
撮影時の測光モードと、スルー画表示のときの測光モードとが一致していると判断された場合（ステップＳＴ０７，ＹＥＳ）、以下の（１）、（２）の測光演算処理が行われる。
（１）撮影時撮影用の測光モードで撮像素子において被写体光の蓄積（ステップＳＴ０８）。
（２）撮影用の測光演算（ステップＳＴ０９）。
なお、撮影者により露出補正が行われている場合、この露出補正が加味されて上記（２）の測光演算が行われる。
【００２０】
この測光演算処理（１）（２）は、ｎ１回繰り返される。本実施形態においてｎ１は２回とする。すなわち、撮影時の測光モードとスルー画表示のときの測光モードとが一致している場合、測光演算処理は２回繰り返される。ただし、本発明は２回に限定されるものではない。
そして、２（ｎ１）回、測光演算処理を繰り返すと（ステップＳＴ１１，ＹＥＳ）、最終的な測光演算結果を基に、ステップＳＴ１６へ進む。
【００２１】
一方、撮影時の測光モードと、スルー画表示のときの測光モードとが一致していないと判断された場合（ステップＳＴ０７，ＮＯ）においても、上述の（１）、（２）と同様の測光演算処理が行われる。
（１）撮影時撮影用の測光モードで撮像素子において被写体光の蓄積（ステップＳＴ１２）。
（２）撮影用の測光演算（ステップＳＴ１３）。
なお、撮影者により露出補正が行われている場合、この露出補正が加味されて上記（２）の測光演算が行われる。
【００２２】
ただし、ステップＳＴ１２とステップＳＴ１３の測光演算処理（１）（２）は、ｎ２回繰り返される。ｎ１は２回であったが、本実施形態においてｎ２は５回とする。すなわち、撮影時の測光モードと、スルー画表示のときの測光モードとが異なる場合、測光演算処理は５回繰り返される。なお、本発明は５回に限定されるものではないが、ｎ１＜ｎ２である。
そして、５（ｎ２）回、測光演算処理が繰り返された後（ステップＳＴ１５，ＹＥＳ）、最終的な測光演算結果を基に、ステップＳＴ１６へ進む。
【００２３】
ステップＳＴ１６において、撮影用の露出が決定され、撮影用の露出でスルー画が表示され、撮影用露出でＡＥがロックされる（ステップＳＴ１７）。
【００２４】
そして、レリーズスイッチ１９が全押しされると（ステップＳＴ１８，ＹＥＳ）、決定された撮影用の露出で、撮像部１２による被写体光の撮像が行われる。
その後、画像を図示しないメモリに記憶している間、測光は禁止されるとともに、表示部１４はスルー画が表示されない状態（ブラックアウト）になるか、撮像された静止画像が表示される。
【００２５】
レリーズスイッチ１９が全押しされず（ステップＳＴ１８，ＮＯ）、半押しも解除されていた場合（ステップＳＴ２０，ＮＯ）は、ステップＳＴ０１に戻る。
また、レリーズスイッチ１９が全押しされず（ステップＳＴ１８，ＮＯ）、半押しが解除されていない場合（ステップＳＴ２０，ＹＥＳ）は、ステップＳＴ１８に戻る。
【００２６】
本実施形態において、スルー画表示に用いられる測光演算結果は、マルチパターン測光(第１測光モード)の演算結果であるが、スルー画表示が行われている場合も、マルチパターン測光、中央重点測光、及びスポット測光との全てのモードの測光演算は行われている（図２の半押しＳ１前の測光の状態）。
しかし、マルチパターン測光により求められた露出値でスルー画用の画像取得が行われているので、その際に中央重点測光やスポット測光を行っても、それらの中央重点測光やスポット測光で用いられている領域の測光素子の出力は、飽和または出力不足の可能性もある（すなわち、白とびや黒つぶれ）。
【００２７】
この状態で、半押しＳ１されると、撮影時の測光モード(第２測光モード)による測光演算及び露出演算が開始される。
この撮影時の測光演算及び露出演算を行う場合、まず、露出値として初期値を用いて撮像部１２により画像を撮像し、測光演算、露出演算を行って、新たな露出値を求める。
その後、新たな露出値により撮像された画像によって、２回目の測光演算及び露出演算を行なう。すなわち、前の演算により求めた露出値によって撮像された画像を基に、新たな露出値を求める測光演算及び露出演算を繰り返すことにより、精度の高い露出値を求める。
【００２８】
ここで、露出値の初期値として用いられる値は、マルチパターン測光（第１測光モード）でスルー画表示が行われている場合に、撮影時の測光モード（第２測光モード）で測光された測光値を基にした露出値である。
第１測光モードと、第２測光モードとが同じ場合、初期値の精度は高い。すなわち、初期値と、撮影用に求めようとしている露出値と、あまり変わらない可能性が高い。したがって、上述の（１）（２）を含む測光演算処理の回数が少なくても、撮影用の露出値として精度の高い値を得ることができる。
【００２９】
このため、本実施形態においては、第１測光モードと第２測光モードとが同じ場合、上述の（１）（２）を含む測光演算処理の回数ｎ１を、第１測光モードと第２測光モードとが異なる場合に対して少なくする。
【００３０】
これにより、第１測光モードと第２測光モードとが同じ場合の露出を決定する時間が短縮されるという効果を有する。
そして、測光演算時間が短縮されても、露出値の精度が劣化することがない。
さらに、第１測光モードと第２測光モードとが異なる場合は、露出演算時間は短縮されないため、精度の高い露出値演算が確保される。
【００３１】
本実施形態では、第１測光モードと第２測光モードとが同じ場合、測光演算処理の回数ｎ１を、第１測光モードと第２測光モードとが異なる場合に対して少なくする例について説明したが、本発明はこれに限定されない。例えば、第１測光モードと第２測光モードとが同じ場合、測光演算処理を行なわず、第１測光モードと第２測光モードとが異なる場合、測光演算処理を所定回数行うものであっても良い。
【符号の説明】
【００３２】
１：カメラ、１０：カメラ本体、１１：カメラマイコン、１２：撮像部、１４：表示部、１５：表示部、１６：焦点検出部、１７：制御部、１８：レンズ駆動部、１９：レリーズスイッチ、２０：レンズ鏡筒、２１：レンズ光学系、２２：絞り、２３：レンズマイコン
【図１】
2014170039.tif 000003
【図２】
2014170039.tif 000004
【図３】
2014170039.tif 000005